(57)【特許請求の範囲】
【請求項１】
蜂の巣の近傍位置で蜂の攻撃目標となる振動音を発生させて該振動音に蜂を誘き寄せ、該振動音の周囲に群がる蜂に殺傷可能温度の熱水を吹きかけて蜂を殺傷し、次に巣の中に前記熱水を注入して巣内の蜂を殺傷して該巣を除去することを特徴とする蜂駆除方法。
【請求項２】
請求項１の蜂駆除方法を実施するための蜂駆除装置であって、
蜂の攻撃目標となる振動音を発生させる振動発生体を支持する振動発生体吊り竿の先端部に備えた蜂寄せ集め部と、
熱源により水タンクに貯えた水を加熱して得た熱水をポンプで圧送口から圧送可能とした熱水生成加圧部と、
前記熱水生成加圧部の圧送口に基端部を接続し先端部に圧送された熱水を放出させるノズルを備えた送水管を該ノズルが高所まで届くようにノズル高所支持竿で支持した熱水高所放出部と、
から成ることを特徴とする蜂駆除装置。
【請求項３】
ノズルの先端部の開口形状を丸孔、星型又は縦長孔としたことを特徴とする請求項２に記載の蜂駆除装置。
【請求項４】
振動発生体に電池により振動を発生させる振動源を備えると共に該振動発生体の振動源の電池に繋がる電気回路に遠隔位置から無線信号により電流をオン・オフ可能する無線受信機を備えたことを特徴とする請求項２又は３に記載の蜂駆除装置。
【請求項５】
振動発生体を包むケースの表面を黒色とし、それ以外の部分の表面を白色とした特徴とする請求項２から４のうちいずれかに記載の蜂駆除装置。
【請求項６】
該振動発生体吊り竿に対して、該振動発生体吊り竿を自立可能に支持する自立支持部を備えたことを特徴とする請求項２から５のうちいずれかに記載の蜂駆除装置。
【発明の詳細な説明】
【技術分野】
【０００１】
本発明はスズメバチ等の人に危害がある蜂を駆除するための方法及びその装置に関する。
【背景技術】
【０００２】
人を襲う猛毒を持ったスズメバチは民家の軒先等手の届かない高い場所に巣を作る性質があるが、この巣の除去作業は蜂が群がって人を襲って来るために非常に困難である。特に、屋根裏、土手、庭木、樹木の洞の中等に作られた巣の除去は少しの刺激で巣穴から夥しい数の蜂が飛び出してくるので大変厄介である。
このような蜂の駆除は蜂の針が皮膚にまで貫通しない特殊な衣類や防護マスク等で人体をガードし、殺虫剤を噴霧して蜂を弱らせたり殺傷してから最後に蜂の巣を削り落とす方法が行われている。
その際の殺虫剤の噴霧はエアゾール型噴霧器で行われ、通常該噴霧器を持って巣に近づいて直接蜂に殺虫剤を吹き付けるが、この他に竿の先端部にエアゾール型噴霧器を装着する下記特許文献１の器具が提案されており、この器具を使用すれば噴霧用竿の基部に設けたハンドルの操作で該竿の先端部に設けた噴霧器のノズルを開き、作業者が巣から離れた位置で殺虫剤を噴霧して蜂の巣を駆除することが可能となる。
【先行技術文献】
【特許文献】
【０００３】
【特許文献１】特開２０００−１５１５１号公報
【発明の概要】
【発明が解決しようとする課題】
【０００４】
しかしながら、上記特許文献１の如く殺虫剤で蜂を殺傷する方法は、殺虫剤に人体にも有害な薬品が使用されるため、殺虫剤が誤って人に降りかかって目に入ったり喉や肺に吸引してしまうと健康を害する可能性がある。
又、蜂は食用にもなるものであるが、巣の中にいる蜂の成虫や幼虫に殺虫剤が付着することで食用に適さなくなってしまう。
本発明は上記事情に鑑み、蜂は熱に弱いことをミツバチのスズメバチ撃退行動で知っていた本発明者は人体に全く害のない熱水の利用を着想した。
そこで本発明は、熱水を浴びせて効率良く蜂の駆除が可能となり、殺虫剤を使用しないことで食用として人体に安全な状態で蜂を採取可能となる蜂駆除方法及びその装置を提供することを目的とするものである。
【課題を解決するための手段】
【０００５】
本発明は上記課題を解決するため以下の構成とした。
本発明の蜂駆除方法の発明は、蜂の巣の近傍位置で蜂の攻撃目標となる振動音を発生させて該振動音に蜂を誘き寄せ、該振動音の周囲に群がる蜂に殺傷可能温度の熱水を吹きかけて蜂を殺傷し、次に巣の中に前記熱水を注入して巣内の蜂を殺傷して該巣を除去することを特徴とする。
【０００６】
又上記蜂駆除方法を実施するための蜂駆除装置は、蜂の攻撃目標となる振動音を発生させる振動発生体を振動発生体吊り竿の先端部に備えた蜂寄せ集め部と、熱源により水タンクに貯えた水を加熱して得た熱水をポンプで圧送口から圧送可能とした熱水生成加圧部と、該熱水生成加圧部の圧送口に基端部を接続し、先端部に圧送された熱水を放出させるノズルを備えた送水管を該ノズルが高所まで届くようにノズル高所支持竿で支持した熱水高所放出部と、から成ることを特徴とする。
【０００７】
請求項３の発明は、上記発明において、前記ノズルの先端部の開口形状を丸孔、星形孔又は縦長孔としたことを特徴とする。
【０００８】
請求項４の発明は、上記発明において、前記振動発生体に電池により振動を発生させる振動源を備えると共に該振動発生体の振動源の電池に繋がる電気回路に遠隔位置から無線信号により電流をオン・オフ可能する無線受信機を備えたことを特徴とする。
【０００９】
請求項５の発明は、上記発明において、前記振動発生体を包むケースの表面を黒色とし、それ以外の部分の表面を白色としたことを特徴とする。
【００１０】
請求項６の発明は、上記発明において、前記蜂寄せ集め部の振動発生体吊り竿に対して、該振動発生体吊り竿を自立可能に支持する自立支持部を備えたことを特徴とする。
【発明の効果】
【００１１】
本発明の蜂駆除方法は、蜂の攻撃目標となる振動音を発生させて該振動音の周囲に蜂を積極的に寄せ集め、そこに熱水を吹きかけることで飛び交う蜂を効率良く死傷させることができる。
そして、蜂が巣の付近を飛んでいない状態の中で巣の中に前記熱水を注入して巣内の蜂を殺傷することで、蜂に襲われずに安心して巣の除去を行うことが可能となる。
その際、蜂の攻撃が振動音の一箇所に集中し、周囲に拡散せずに蜂が振動音付近に集まり、静かにしている作業員の方へ蜂が寄って来るのが防止される。この結果、作業員は防護マスクや防護服は装着する必要なくなり、これまで窮屈な状態で行なわれていた駆除作業から開放され、作業を短時間で終了させることが可能となる。
又、得られた蜂の成虫や幼虫には殺虫剤が全く付着することはないので安心して食することが可能となる。
【００１２】
本発明の蜂駆除装置は、蜂寄せ集め部の振動発生体吊り竿の先端部に設けられた蜂の攻撃目標となる振動発生体を、巣から離れた場所に掲げて振動音を発生させることで該振動発生体の周囲に積極的に蜂を寄せ集め、その上で、熱水生成加圧部で得た熱水をポンプの圧力で送水管で導いて熱水高所放出部の先端部に固定したノズルから蜂の群へ放出させて蜂を纏めて殺傷することが可能となる。
更に、該ノズルの先端部を蜂の巣内に突き刺して熱水を放出させ、巣内の蜂を短時間で殺傷することができる。
そして、蜂が周囲に飛んでいない状態の中で近づいても安全に蜂の巣をナイフや鋸等で切り落とすことが可能となる。
【００１３】
請求項３の発明では、前記ノズルの先端部の開口形状を丸孔、星形孔又は縦長孔としたことで、放出される熱水を飛んでいる蜂の群れに対して広範囲に散布することができる。
このため飛んでいる蜂にも容易に熱水を吹きかけることが可能となる。
縦長孔とした場合では、側方に往復して振ることで蜂の群れに対して広い範囲に熱水を吹き付けることができるので効率良く蜂を殺傷することが可能となる。
【００１４】
請求項４の発明では、前記振動発生体の振動音を電池によって電気的に発生させ、前記振動発生体の振動音の発生を電波や赤外線などの無線で遠隔位置から制御可能となる。そして、必要な時間だけ電気を使用して振動音を発生させることによって電池の寿命を長くすることが可能となる。
【００１５】
請求項５の発明では、前記振動発生体の表面が黒色であり且つ該振動発生体以外の表面が白色なので蜂の攻撃が前記振動発生体へ集中され、蜂を効率良く一箇所に寄せ集めで殺傷することができる。そして、その際に蜂の周囲への拡散が防止され、作業員が防護服を着ることなくより安全に作業を行うことが可能となる。
【００１６】
請求項６の発明では、前記自立支持部で前記振動発生体吊り竿を自立させることが可能となり、前記振動発生体吊り竿を持って駆除作業中に振動発生体を継続して高い位置に支持する人員が必要となくなり、この結果、駆除作業を一人で行うことが可能となる。
【図面の簡単な説明】
【００１７】
【図１】本発明の使用状態を示す斜視図である。
【図２】ノズルの開口形状を丸孔とした形態を示す（イ）が斜視図、（ロ）が平面図である。
【図３】ノズルの開口形状を星形孔とした形態を示す（イ）が斜視図、（ロ）が平面図である。
【図４】ノズルの開口形状を縦長孔とした形態を示す（イ）が斜視図、（ロ）が平面図である。
【図５】振動発生体の縦断側面図である。
【図６】防御膜の斜視図である。
【発明を実施するための形態】
【００１８】
本発明の蜂駆除方法及びその装置の実施形態を、以下図に基づいて説明する。
図１は本発明の蜂駆除装置を使用して蜂を駆除している状態を示す。
本発明の蜂駆除方法は、該図１に示すように、先ず蜂の巣Ｓの近傍位置、例えば１ｍから３ｍ離れた位置で蜂Ｂの攻撃目標となる振動発生体９を振動させて振動音を発生させ、蜂Ｂを振動発生体９付近に誘き寄せる。
該振動発生体９で発生させる振動音は、蜂Ｂの敵との認識を持たせる振動音である。蜂Ｂは振動音を敵と認識して巣を守るために攻撃を仕掛けて巣Ｓから出てくる。
【００１９】
蜂の巣は屋根裏、土手、庭木、樹木の洞の中等に作られることもあり、その巣の除去は難しい。このため、先ず振動発生体９を振動させて蜂を振動音の場所まで誘って巣から外に積極的に飛び出させる。
【００２０】
このように巣から飛び出して該振動音の周囲に群がる蜂Ｂに対して殺傷可能温度の熱水１６をノズル６から吹きかけて蜂Ｂの大部分の蜂を巣の外で殺傷してしまう。
例えばスズメバチの場合では、４４〜４６°Ｃが致死温度であるので、熱水の温度はそのスズメバチに熱水の飛沫が到達したときにそれ以上の温度でなければならない。
その後、周囲を飛翔する蜂がいないことを確認し、次に巣Ｓの中にノズル６の先端部６ａを刺し込んで前記熱水１６を注入する。
【００２１】
そして、巣Ｓ内の蜂Ｂの羽音が止んだで静かになったら作業員が梯子、脚立などで登って直に巣Ｓを鋸又はナイフ等で巣Ｓの付け根部分を切って蜂の巣Ｓを除去する。
本発明は以上によって蜂の巣Ｓが除去され、蜂も駆除される。
【００２２】
なお、作業当初は蜂が元気に飛び回っているので直接近づくのは大変危険であり、そこで、蜂の巣やその周囲の様子を観察するために、図６に示すように、縦横約２ｍほどの布状体３２の防御膜を使用すると良い。
例えば、該防御膜は、内部に縦５ｃｍ横２０ｃｍ程度の覗き窓３４を設け、この覗き窓３４には透明樹脂板を貼り、更に該覗き窓３４を隠すように垂幕３５を設けた態様が使用できる。
そして、該防御膜は、突っ張り棒３６、３７をクロスして四隅に設けた袋布３３の中に先端を挿し込んで布状体３２を開いて装着し、一方の突っ張り棒３７を直立支持棒３８の先端部で支えるようにして自立させる態様が可能である。
作業者は前記該防御膜に隠れて蜂の攻撃から身を守りつつ蜂の巣の様子を眺め、安全に作業を行うことが可能となる。
【００２３】
次に上記蜂駆除方法を実施するための蜂駆除装置について説明する。
本発明の蜂除去装置は、図１に示すように、蜂Ｂの攻撃目標となる振動発生体９を振動発生体吊り竿１０の先端部１０ａに設けた蜂寄せ集め部８と、水を加熱して得た熱水を加圧排出させる熱水生成加圧部１と、その熱水１６をノズル６から高所に放出させる熱水高所放出部５とで構成される。
【００２４】
該振動発生体９は振動発生体吊り竿１０の先端部１０ａに吊紐２５で吊り下げられ、前記振動発生体９は蜂Ｂを誘き寄せることが可能な振動音を起こさせる。
この振動音は、振動の発生体が敵の蜂の羽音等の蜂にとって敵であると認識させるような振動音であり、その振動音を体毛や触覚で感知し、これを敵と勘違いした蜂は巣から出て音の発生体に対して攻撃を行う。
【００２５】
その振動発生体９の構造は、全体が握り拳程度の大きさとし振動音を発生させることができるものであれば良く、電気的に発生させることや、ゼンマイの力で発生させること等の各種構造とすることが可能であるが、電気的な構造では、例えば、図５に示すように、回転軸１７ａに固定した偏心錘１８の回転で振動を発生させるモータ１７及びそのモータ１７を稼動させる乾電池１９を備えた構造のものが可能である。この例ではモータ１７による偏心錘１８の回転で軸振れによる振動音が発生する。
これらは水が掛かっても錆びないプラスチック製のケース２３に収納され、図中の符号２５は振動発生体吊り竿１０の先端部１０ａに繋ぐ吊紐２５であり、符号２４は紐孔２４である。
なお、前記振動発生体９は吊紐２５で吊り、振動発生体吊り竿１０を揺らすことで振動発生体９に動きを与えることで蜂の視覚を刺激することも蜂を寄せ集めするのに有効である。
【００２６】
該図５に示す態様の場合、前記乾電池１９とモータ１７を繋ぐ電気回路２１には振動の発生を制御するために電流の流れをオン・オフするスイッチ回路を設けて、そのスイッチを遠隔位置から制御可能とする無線受信機２０を備えることができる。
この態様では、ポケットには無線発信機３１を備え、該無線発信機３１からの無線信号を無線受信機２０に送信し、その信号を前記無線受信機２０が受けて前記スイッチ回路をオン・オフ制御することができる。
この態様では、前記振動発生体の振動音の発生を随時無線で遠隔位置から制御可能となので、必要な時間だけ電気を使用して振動音が発生できるので、電池の寿命を長くすることが可能となる。
【００２７】
なお、該振動発生体９から離れた位置に居ると、該振動発生体９の振動の確認ができない場合があるので、電流が流れてモータ１７が稼動し振動している状態にあることを離れた位置からも確認できるように、前記電気回路２１にＬＥＤ照明２２を接続して設けることが好ましい。
【００２８】
該振動発生体９を吊る前記該振動発生体吊り竿１０は、その基端部１０ｂから先端部１０ａまでの長さを調節可能とする伸縮部３０を設けることができる。
該伸縮部３０は、例えば、長さ分割した短い竿同士がお互い端部に設けた大径管材に小径管材を嵌合させて着脱可能とする態様や、分割した長さの大径管材に小径管材を出没させて全体の長さを伸縮可能とした態様が可能である。図１は、長さ分割した管材の各端部を着脱可能とした伸縮部３０を示す。
【００２９】
又、前記振動発生体吊り竿１０に対して、該振動発生体吊り竿１０の基端部１０ｂを自立可能に支持する自立支持部１４を備えることができる。
該自立支持部１４は、例えば、図１に示すように、前記振動発生体吊り竿１０の下部を四方から斜めに木材で支持可能に組んだ構造とすることが可能である。
しかし、用いる材料や形状を図１に示す自立支持部１４に限定するものではなく、位置の移動が可能となるように台車の上に前記自立支持部１４を固定した態様も可能である。
この場合、該振動発生体吊り竿１に人手を要しないので一人で駆除作業を行うことが可能となる。
【００３０】
又、前記振動発生体９のケース２３の表面は黒色とし、それ以外の部分の表面を白色とすることが好ましい。
前記振動発生体９の表面が黒色であると蜂は前記振動発生体９を敵と認識して集中的に攻撃し、作業者が白い衣服を着て音を出さないように静かにすることで蜂の攻撃を避けることができる。
この際、作業者は香水やヘアースプレー等の臭いは蜂の攻撃要因となるので身に着けるのを避ける。
【００３１】
又、前記熱水生成加圧部１は、水を貯える水タンク２と、その水を加熱する熱源３と、そこで加熱された熱水を外部に圧送するポンプ４とを備える。
前記ポンプ４には圧送口４ａを設け、該圧送口４ａから外部に圧送できるようにする。
これらは重量物なので台車１３に載せれば、振動発生体９の近くから巣Ｓのある場所へノズル６を移動させる際に、水タンク２やポンプ４も容易に移動させることができる。
【００３２】
又、前記熱水高所放出部５は、前記熱水生成加圧部１の圧送口４ａに基端部１１ｂを接続した送水管１１の先端部１１ａに圧送された熱水を放出させるノズル６を備える。
そして、前記送水管１１の先端部１１ａに設けたノズル６を手の届かない高所まで導けるようにノズル高所支持竿７の先端部７ａに前記送水管１１の先端部１１ａ又は該先端部１１ａに接続したノズル６をノズル着脱部１５で着脱可能に支持する。
その高さは地上からノズル６が２階の軒先にまで届く長さにノズル高所支持竿７の先端部７ａの長さを決める。
又、該ノズル高所支持竿７の途中にはガイドループ１２を数箇所設けて前記送水管５の途中部位を該ガイドループ１２内を通過させてノズル高所支持竿７に沿うように支持する。
【００３３】
加熱する熱水の温度は、熱水の飛沫が蜂に到達したときに蜂の致死温度以上の温度となっていなければ蜂の殺傷効果が得られない。
又、このため例えばスズメバチの場合では、４４〜４６°Ｃの致死温度でなければならず、加熱した水タンク２内の温度は、前記送水管１１による送水途中で冷却されて温度が低下することを考慮して９０〜１００°Ｃに近い温度が好ましい。なお、１００°Ｃ以上の温度となる水蒸気の使用も可能である。
【００３４】
又、前記ノズル６の先端部６ａの形状は、図２の（イ）、（ロ）に示す丸孔２６、図３の（イ）、（ロ）に示す星形孔２７又は図４の（イ）、（ロ）に示す縦長孔２８とすることができる。
前記丸孔２６及び星形孔２７は、一点を中心とした円状に熱水が広がって、位置を固定してもその範囲に飛んでいる蜂に熱水１６を吹き付けることができる。
又、前記縦長孔２８は、熱水１６が帯状に広がるので、そのノズル６を往復させることによって広い範囲に熱水を放出可能となり、その広い範囲の中で飛翔している蜂Ｂに熱水１６を吹き付けることが可能となる。
【００３５】
前記ノズル高所支持竿７は、基端部７ｂから先端部７ａまでの長さを調節可能とする伸縮部２９を設けることができる。
該伸縮部２９は、例えば、前記蜂寄せ集め部８の振動発生体吊り竿１０と同様に、長さ分割した短い竿同士がお互い端部に設けた大径管材に小径管材を嵌合させて着脱可能とする態様や、分割した長さの大径管材に小径管材を出没させて全体の長さを伸縮可能とした態様が可能である。図１は、長さ分割した管材の各端部を着脱可能とした伸縮部２９を示す。
【００３６】
以上の如く本発明では、防護マスクや防護服の装着から開放され軽快に駆除作業が行え、殺虫剤は全く使用しないので、得られた蜂の成虫や幼虫には殺虫剤が全く含まれないので安心して食することができるようになった。
【産業上の利用可能性】
【００３７】
本発明の蜂駆除方法およびその装置は、人を刺す蜂を対象とするものであるが、振動音に反応して人を襲う昆虫類に対しても使用できる可能性がある。
【符号の説明】
【００３８】
１    熱水生成加圧部
２    水タンク
３    熱源
４    ポンプ
４ａ    圧送口
５    熱水高所放出部
６    ノズル
６ａ    ノズルの放出口
７    ノズル高所支持竿
７ａ    ノズル高所支持竿の先端部
７ｂ    ノズル高所支持竿の基端部
８    蜂寄せ集め部
９    振動発生体
１０    振動発生体吊り竿
１０ａ  振動発生体吊り竿の先端部
１０ｂ  振動発生体吊り竿の基端部
１１    送水管
１１ａ    送水管の基端部
１１ｂ    送水管の先端部
１２    ガイドループ
１３    台車
１４    自立支持部
１５    ノズル着脱部
１６    熱水
１７    モータ
１８    偏心錘
１９    電池
２０    無線受信機
２１    電気回路
２２    ＬＥＤ照明
２３    ケース
２４    紐孔
２５    吊紐
２６    丸孔
２７    星形孔
２８    縦長孔
２９    伸縮部
３０    伸縮部
３１    無線発信機
３２    布状体
３３    袋布
３４    覗き窓
３５    垂布
３６    突っ張り棒
３７    突っ張り棒
３８    直立支持棒
Ｂ    蜂
Ｓ    蜂の巣
【要約】
【課題】殺虫剤を使用せずに蜂が駆除できる蜂駆除装置を提供する。
【解決手段】蜂Ｂの攻撃目標となる振動音を発生させる振動発生体９を支持する振動発生体吊り竿１０の先端部１０ａに備えた蜂寄せ集め部８と、熱源３により水タンク２に貯えた水を加熱して得た熱水をポンプ４で圧送口４ａから圧送可能とした熱水生成加圧部１と、前記熱水生成加圧部１の圧送口４ａに基端部１１ｂを接続し先端部１１ａに圧送された熱水を放出させるノズル６を備えた送水管１１を該ノズル６が高所まで届くようにノズル高所支持竿７で支持した熱水高所放出部５と、から成る。
【選択図】    図１【図１】
0005586802.tif 000002
【図２】
0005586802.tif 000003
【図３】
0005586802.tif 000004
【図４】
0005586802.tif 000005
【図５】
0005586802.tif 000006
【図６】
0005586802.tif 000007